(57)【要約】      （修正有）【課題】管理対象の携帯情報端末である管理対象端末が通信回線を使用可能でない場合であっても、管理対象端末の位置をサーバにより管理可能とする技術を提供する。【解決手段】管理対象端末２は、位置検出部と、端末通信部２３と、第１の装置検出部と、第１の端末送信処理部と、を備える。位置検出部は、現在位置を検出する。端末通信部は、近距離無線通信を行う。第１の装置検出部は、近距離無線通信を端末通信部との間で行うことが可能であって、通信回線を使用する通信である回線通信をサーバとの間で行うことが可能な携帯電話装置３を検出する。第１の端末送信処理部は、携帯電話装置に、現在位置を表す情報である位置情報、及び、当該管理対象端末を識別するための情報である識別情報、をサーバ５へ送信させる。【選択図】図１
2018063477.tif 000002
【特許請求の範囲】
【請求項１】
管理対象の携帯情報端末である管理対象端末の位置をサーバにより管理する位置管理システムに用いられる前記管理対象端末であって、
現在位置を検出する位置検出部と、
近距離無線通信を行う端末通信部と、
前記近距離無線通信を前記端末通信部との間で行うことが可能であって、通信回線を使用する通信を前記サーバとの間で行うことが可能な携帯電話装置を検出する第１の装置検出部と、
前記第１の装置検出部により検出された前記携帯電話装置に、前記現在位置を表す情報である位置情報、及び、当該管理対象端末を識別するための情報である識別情報、を前記サーバへ送信させる第１の端末送信処理部と、
を備える管理対象端末。
【請求項２】
請求項１に記載の管理対象端末であって、
前記近距離無線通信を前記端末通信部との間で行うことが可能な無線ＬＡＮのアクセスポイントを検出する第２の装置検出部と、
前記第２の装置検出部により検出された前記アクセスポイントを介して、前記位置情報及び前記識別情報を前記サーバへ送信する第２の端末送信処理部と、
を更に備える管理対象端末。
【請求項３】
請求項１又は請求項２に記載の管理対象端末であって、
ユーザが緊急時に行う所定の入力操作を受け付ける操作部と、
前記操作部が前記入力操作を受け付けたかを判定する操作判定部と、
を更に備え、
前記第１の端末送信処理部は、前記操作判定部により前記操作部が前記入力操作を受け付けたと判定された場合、前記第１の装置検出部により検出された前記携帯電話装置に、前記ユーザが緊急状態にあることを表す情報である緊急情報を前記サーバへ送信させる、管理対象端末。
【請求項４】
請求項３に記載の管理対象端末であって、
前記緊急情報には、前記携帯電話装置に報知を行わせる情報が含まれる、管理対象端末。
【請求項５】
近距離無線通信が可能な管理対象の携帯情報端末である管理対象端末の位置を管理するサーバであって、
通信回線を使用する通信である回線通信を行うサーバ通信部と、
前記近距離無線通信を前記管理対象端末との間で行うことが可能であって、前記回線通信を前記サーバ通信部との間で行うことが可能な携帯電話装置から、前記管理対象端末の現在位置を表す情報である位置情報、及び、前記管理対象端末を識別するための情報である識別情報、を受信するサーバ受信処理部と、
を備えるサーバ。
【請求項６】
請求項５に記載のサーバであって、
前記管理対象端末のユーザが緊急状態にあるかを判定する緊急判定部と、
前記緊急判定部により前記ユーザが緊急状態にあると判定された場合、所定の選定条件に基づき選定した前記携帯電話装置へ、当該携帯電話装置に報知を行わせるための情報を送信するサーバ送信処理部と、
を更に備えるサーバ。
【請求項７】
請求項６に記載のサーバであって、
前記選定条件は、前記ユーザが緊急状態にある前記管理対象端末を基準とする所定エリア内の前記携帯電話装置を選定する条件である、サーバ。
【請求項８】
請求項６又は請求項７に記載のサーバであって、
前記選定条件は、前記管理対象端末のユーザが緊急状態にあることを表す情報である緊急情報を前記サーバへ送信した前記携帯電話装置を基準とする所定エリア内の前記携帯電話装置を選定する条件である、サーバ。
【請求項９】
請求項６から請求項８までのいずれか１項に記載のサーバであって、
前記選定条件は、前記ユーザが緊急状態にある前記管理対象端末の前記位置情報及び前記識別情報を前記サーバ通信部へ送信したことがある前記携帯電話装置を選定する条件である、サーバ。
【請求項１０】
携帯電話装置であって、
近距離無線通信を行う近距離通信部と、
通信回線を使用する通信である回線通信を行う回線通信部と、
前記近距離無線通信を前記近距離通信部との間で行うことが可能な携帯情報端末から、当該携帯情報端末の現在位置を表す情報である位置情報、及び、当該携帯情報端末を識別するための情報である識別情報、を受信する近距離受信処理部と、
前記回線通信部との間で前記回線通信を行うことが可能な所定のサーバへ、前記位置情報及び前記識別情報を送信する回線送信処理部と、
を備える携帯電話装置。
【請求項１１】
請求項１０に記載の携帯電話装置であって、
前記携帯情報端末及び前記サーバの少なくとも一方から、前記携帯情報端末のユーザが緊急状態にあることを表す情報である緊急情報を受信する緊急受信処理部と、
前記緊急受信処理部により前記緊急情報が受信された場合に報知を行う報知処理部と、
を更に備える携帯電話装置。
【請求項１２】
近距離無線通信が可能な携帯情報端末に用いられるコンピュータを、
前記近距離無線通信を前記携帯情報端末との間で行うことが可能であって、通信回線を使用する通信を所定のサーバとの間で行うことが可能な携帯電話装置を検出する装置検出部、及び、
前記装置検出部により検出された前記携帯電話装置に、前記携帯情報端末の現在位置を表す情報である位置情報、及び、前記携帯情報端末を識別するための情報である識別情報、を前記サーバへ送信させる端末送信処理部、
として機能させる携帯情報端末プログラム。
【請求項１３】
近距離無線通信と、通信回線を使用する通信である回線通信と、が可能な携帯電話装置に用いられるコンピュータを、
前記近距離無線通信を前記携帯電話装置との間で行うことが可能な携帯情報端末から、当該携帯情報端末の現在位置を表す情報である位置情報、及び、当該携帯情報端末を識別するための情報である識別情報、を受信する近距離受信処理部、及び、
前記回線通信を前記携帯電話装置との間で行うことが可能な所定のサーバへ、前記位置情報及び前記識別情報を送信する回線送信処理部、
として機能させる携帯電話装置プログラム。
【請求項１４】
管理対象の携帯情報端末である管理対象端末と、携帯電話装置と、前記管理対象端末の位置を管理するサーバと、を備える位置管理システムであって、
前記管理対象端末は、
当該管理対象端末の現在位置を検出する位置検出部と、
近距離無線通信を行う端末通信部と、
前記携帯電話装置を検出する装置検出部と、
前記装置検出部により検出された前記携帯電話装置へ、前記現在位置を表す情報である位置情報、及び、当該管理対象端末を識別するための情報である識別情報、を前記端末通信部を介して送信する端末送信処理部と、
を備え、
前記携帯電話装置は、
前記近距離無線通信を行う近距離通信部と、
通信回線を使用する通信である回線通信を行う回線通信部と、
前記管理対象端末から前記位置情報及び前記識別情報を、前記近距離通信部を介して受信する近距離受信処理部と、
前記近距離受信処理部により受信された前記位置情報及び前記識別情報を、前記回線通信部を介して前記サーバへ送信する回線送信処理部と、
を備え、
前記サーバは、
前記回線通信を行うサーバ通信部と、
前記携帯電話装置から前記位置情報及び前記識別情報を前記サーバ通信部を介して受信するサーバ受信処理部と、
を備える、位置管理システム。
【発明の詳細な説明】
【技術分野】
【０００１】
本開示は、管理対象の携帯情報端末である管理対象端末の位置をサーバにより管理する技術に関する。
【背景技術】
【０００２】
管理対象端末の位置をサーバにより管理する位置管理システムが知られている。特許文献１に記載の位置管理システムは、管理対象端末と、サーバと、パソコンと、を備える。管理対象端末は、ＧＰＳ衛星から送信された電波を受信し、受信した電波に基づき現在位置を検出する。管理対象端末は、現在位置を表す情報である位置情報をネットワークを介してサーバへ送信する。サーバは、受信した位置情報をデータベースに蓄積するとともに、パソコンからの位置情報の照会の要求に応じて、管理対象端末の位置情報をネットワークを介してパソコンへ送信する。
【先行技術文献】
【特許文献】
【０００３】
【特許文献１】特許第４２３６９１６号公報
【発明の概要】
【発明が解決しようとする課題】
【０００４】
上記のような位置管理システムでは、通常、携帯電話回線などの通信回線を使用する通信により、管理対象端末からサーバへ位置情報が送信される。その場合、位置管理システムのユーザ、具体的には、管理対象端末のユーザや、管理対象端末の位置を監視する監視端末のユーザが、通信事業者やプロバイダと契約して通信料金を支払い、管理対象端末が通信回線を使用可能にする必要がある。このため、上記のような位置管理システムでは、位置管理システムのユーザにとって費用がかさむという問題があった。
【０００５】
本開示の一局面は、管理対象端末が通信回線を使用可能でない場合であっても、管理対象端末の位置をサーバにより管理可能とする技術を提供することを目的としている。
【課題を解決するための手段】
【０００６】
本開示の一態様は、管理対象端末の位置をサーバにより管理する位置管理システムに用いられる管理対象端末であって、位置検出部と、端末通信部と、第１の装置検出部と、第１の端末送信処理部と、を備える。位置検出部は、現在位置を検出する。端末通信部は、近距離無線通信を行う。第１の装置検出部は、近距離無線通信を端末通信部との間で行うことが可能であって、通信回線を使用する通信である回線通信をサーバとの間で行うことが可能な携帯電話装置を検出する。第１の端末送信処理部は、第１の装置検出部により検出された携帯電話装置に、現在位置を表す情報である位置情報、及び、当該管理対象端末を識別するための情報である識別情報、をサーバへ送信させる。つまり、第１の端末送信処理部は、位置情報及び識別情報のサーバへの送信処理を携帯電話装置に行わせる。
【０００７】
このような構成によれば、管理対象端末から携帯電話装置へは、近距離無線通信により位置情報が送信され、携帯電話装置からサーバへは、回線通信により位置情報が送信される。このように、管理対象端末から携帯電話装置へは、近距離無線通信により位置情報が送信されるため、管理対象端末が通信回線を使用可能でない場合であっても、管理対象端末の位置をサーバにより管理することができる。
【０００８】
本開示の一態様は、管理対象端末が、第２の装置検出部と、第２の端末送信処理部と、を更に備えてもよい。第２の装置検出部は、近距離無線通信を端末通信部との間で行うことが可能な無線ＬＡＮのアクセスポイントを検出する。第２の端末送信処理部は、第２の装置検出部により検出されたアクセスポイントを介して、位置情報及び識別情報をサーバへ送信する。
【０００９】
このような構成によれば、携帯電話装置が検出されない場合であっても、無線ＬＡＮのアクセスポイントが検出されたときには、位置情報をサーバへ送信することができる。したがって、位置情報が携帯電話装置を経由してしかサーバへ送信されない構成と比較して、管理対象端末がサーバへ位置情報を送信することができる機会をより多く確保することができる。
【００１０】
本開示の一態様は、管理対象端末が、操作部と、操作判定部と、を更に備えてもよい。操作部は、ユーザが緊急時に行う所定の入力操作を受け付ける。操作判定部は、操作部が入力操作を受け付けたかを判定する。そして、第１の端末送信処理部は、操作判定部により操作部が入力操作を受け付けたと判定された場合、第１の装置検出部により検出された携帯電話装置に、ユーザが緊急状態にあることを表す情報である緊急情報をサーバへ送信させる。つまり、第１の端末送信処理部は、操作判定部により操作部が入力操作を受け付けたと判定された場合、第１の装置検出部により検出された携帯電話装置に、緊急情報のサーバへの送信処理を携帯電話装置に行わせる。
【００１１】
このような構成によれば、管理対象端末が通信回線を使用可能でない場合であっても、緊急情報をサーバへ送信することができる。
本開示の一態様は、緊急情報には、携帯電話装置に報知を行わせる情報が含まれてもよい。
【００１２】
このような構成によれば、緊急情報が携帯電話装置を介してサーバへ送信される際に、携帯電話装置に報知を行わせることができる。したがって、管理対象端末のユーザが緊急状態にあることを携帯電話装置のユーザに認識させることができる。これにより、携帯電話装置に報知を行わせない構成と比較して、管理対象端末のユーザに対する保護効果を向上させることができる。
【００１３】
本開示の別の態様は、管理対象端末の位置を管理するサーバであって、サーバ通信部と、第１のサーバ受信処理部と、を備える。サーバ通信部は、回線通信を行う。第１のサーバ受信処理部は、近距離無線通信を管理対象端末との間で行うことが可能であって、回線通信をサーバ通信部との間で行うことが可能な携帯電話装置から、管理対象端末の現在位置を表す情報である第１の位置情報、及び、管理対象端末を識別するための情報である第１の識別情報、を受信する。
【００１４】
このような構成によれば、サーバは、管理対象端末から携帯電話装置へ近距離無線通信により送信された位置情報を、回線通信により携帯電話装置から受信する。このように、管理対象端末から携帯電話装置へは、近距離無線通信により位置情報が送信されるため、管理対象端末が通信回線を使用可能でない場合であっても、管理対象端末の位置をサーバにより管理することができる。
【００１５】
本開示の一態様は、サーバが、緊急判定部と、サーバ送信処理部と、を更に備えてもよい。緊急判定部は、管理対象端末のユーザが緊急状態にあるかを判定する。サーバ送信処理部は、緊急判定部によりユーザが緊急状態にあると判定された場合、所定の選定条件に基づき選定した携帯電話装置へ、当該携帯電話装置に報知を行わせるための情報を送信する。
【００１６】
このような構成によれば、管理対象端末のユーザが緊急状態にあることを、選定された携帯電話装置のユーザに認識させることができる。これにより、携帯電話装置に報知を行わせない構成と比較して、管理対象端末のユーザに対する保護効果を向上させることができる。
【００１７】
本開示の一態様は、選定条件が、ユーザが緊急状態にある管理対象端末を基準とする所定エリア内の携帯電話装置を選定する条件であってもよい。
このような構成によれば、ユーザが緊急状態にある管理対象端末を基準とする所定エリア内の携帯電話装置のユーザに、管理対象端末のユーザが緊急状態にあることを認識させることができる。
【００１８】
本開示の一態様は、選定条件が、管理対象端末のユーザが緊急状態にあることを表す情報である緊急情報をサーバへ送信した携帯電話装置を基準とする所定エリア内の携帯電話装置を選定する条件であってもよい。
【００１９】
このような構成によれば、緊急情報をサーバへ送信した携帯電話装置を基準とする上記所定エリア内の携帯電話装置のユーザに、管理対象端末のユーザが緊急状態にあることを認識させることができる。
【００２０】
本開示の一態様は、選定条件が、緊急対象端末の第１の位置情報及び第１の識別情報をサーバ通信部へ送信したことがある携帯電話装置を選定する条件であってもよい。
このような構成によれば、緊急対象端末と近距離無線通信が可能な範囲に存在する又は存在していた携帯電話装置のユーザに、緊急対象端末のユーザが緊急状態にあることを認識させることができる。
【００２１】
本開示の別の態様は、携帯電話装置であって、近距離通信部と、回線通信部と、近距離受信処理部と、回線送信処理部と、を備える。近距離通信部は、近距離無線通信を行う。回線通信部は、回線通信を行う。近距離受信処理部は、近距離無線通信を近距離通信部との間で行うことが可能な携帯情報端末から、当該携帯情報端末の現在位置を表す情報である位置情報、及び、当該携帯情報端末を識別するための情報である識別情報、を受信する。回線送信処理部は、回線通信部との間で回線通信を行うことが可能な所定のサーバへ、位置情報及び識別情報を送信する。
【００２２】
このような構成によれば、携帯情報端末から携帯電話装置へは、近距離無線通信により位置情報が送信され、携帯電話装置からサーバへは、回線通信により位置情報が送信される。このように、携帯情報端末から携帯電話装置へは、近距離無線通信により位置情報が送信されるため、携帯情報端末が通信回線を使用可能でない場合であっても、携帯情報端末の位置をサーバにより管理することができる。
【００２３】
本開示の一態様は、携帯電話装置が、緊急受信処理部と、報知処理部と、を更に備えてもよい。緊急受信処理部は、携帯情報端末及びサーバの少なくとも一方から、携帯情報端末のユーザが緊急状態にあることを表す情報である緊急情報を受信する。報知処理部は、緊急受信処理部により緊急情報が受信された場合に報知を行う。
【００２４】
このような構成によれば、携帯情報端末のユーザが緊急状態にあることを、携帯電話装置のユーザに認識させることができる。したがって、携帯電話装置に報知を行わせない構成と比較して、管理対象端末のユーザに対する保護効果を向上させることができる。
【００２５】
本開示の別の態様は、近距離無線通信が可能な携帯情報端末に用いられるコンピュータを、装置検出部、及び、端末送信処理部、として機能させる携帯情報端末プログラムである。装置検出部は、近距離無線通信を携帯情報端末との間で行うことが可能であって、回線通信を所定のサーバとの間で行うことが可能な携帯電話装置を検出する。端末送信処理部は、装置検出部により検出された携帯電話装置に、携帯情報端末の現在位置を表す情報である位置情報、及び、携帯情報端末を識別するための情報である識別情報、をサーバへ送信させる。つまり、端末送信処理部は、位置情報及び識別情報のサーバへの送信処理を携帯電話装置に行わせる。
【００２６】
このような構成によれば、前述した本開示の管理対象端末としての態様と、同様の作用効果を奏する。
本開示の別の態様は、近距離無線通信と、回線通信と、が可能な携帯電話装置に用いられるコンピュータを、近距離受信処理部、及び、回線送信処理部、として機能させる携帯電話装置プログラムである。近距離受信処理部は、近距離無線通信を携帯電話装置との間で行うことが可能な携帯情報端末から、当該携帯情報端末の現在位置を表す情報である位置情報、及び、当該携帯情報端末を識別するための情報である識別情報、を受信する。回線送信処理部は、回線通信を携帯電話装置との間で行うことが可能な所定のサーバへ、位置情報及び識別情報を送信する。
【００２７】
このような構成によれば、前述した本開示の携帯電話装置としての態様と、同様の作用効果を奏する。
本開示の別の態様は、管理対象端末と、携帯電話装置と、サーバと、を備える位置管理システムである。管理対象端末は、位置検出部と、端末通信部と、装置検出部と、端末送信処理部と、を備える。位置検出部は、当該管理対象端末の現在位置を検出する。端末通信部は、近距離無線通信を行う。装置検出部は、携帯電話装置を検出する。端末送信処理部は、装置検出部により検出された携帯電話装置へ位置情報及び識別情報を端末通信部を介して送信する。携帯電話装置は、近距離通信部と、回線通信部と、近距離受信処理部と、回線送信処理部と、を備える。近距離通信部は、近距離無線通信を行う。回線通信部は、回線通信を行う。近距離受信処理部は、管理対象端末から位置情報及び識別情報を近距離通信部を介して受信する。回線送信処理部は、近距離受信処理部により受信された位置情報及び識別情報を、回線通信部を介してサーバへ送信する。サーバは、サーバ通信部と、サーバ受信処理部と、を備える。サーバ通信部は、回線通信を行う。サーバ受信処理部は、携帯電話装置から管理対象端末の位置情報及び識別情報をサーバ通信部を介して受信する。
【００２８】
このような構成によれば、前述した本開示の管理対象端末、サーバ又は携帯電話装置としての態様と、同様の作用効果を奏する。
【図面の簡単な説明】
【００２９】
【図１】位置管理システムの構成を示すブロック図である。
【図２】端末処理のフローチャートである。
【図３】第１の装置処理のフローチャートである。
【図４】第２の装置処理のフローチャートである。
【図５】第１のサーバ処理のフローチャートである。
【図６】第２のサーバ処理のフローチャートである。
【図７】通常時における位置管理システム全体の処理の流れを示す図である。
【図８】監視端末からサーバに緊急情報の送信があった場合における位置管理システム全体の処理の流れを示す図である。
【図９】管理対象端末からサーバに緊急情報の送信があった場合における位置管理システム全体の処理の流れを示す図である。
【発明を実施するための形態】
【００３０】
以下、図面を参照しながら、本開示を実施するための形態を説明する。
［１．構成］
図１に示す位置管理システム１は、管理対象の携帯情報端末である管理対象端末２の位置をサーバ５により管理するシステムである。具体的には、管理対象端末２の現在位置を表す情報が管理対象端末２からサーバ５へ送られ、蓄積される。そして、監視端末６がサーバ５にアクセスし、管理対象端末２の位置を監視する。なお、管理対象端末２は、例えば、子供によって所持されることが想定され、監視端末６は、例えば、その保護者によって所持されることが想定される。
【００３１】
位置管理システム１は、管理対象端末２と、携帯電話装置３と、アクセスポイント４と、サーバ５と、監視端末６と、を備える。なお、位置管理システム１は、一般には複数の管理対象端末２、携帯電話装置３、アクセスポイント４及び監視端末６を備えるが、図１では、図示を簡略化するため、これらを１つずつ示している。
【００３２】
管理対象端末２は、ＧＰＳ受信機２１と、記憶部２２と、端末通信部２３と、緊急ボタン２４と、端末制御部２５と、を備える。本実施形態では、管理対象端末２は、位置管理システム１による位置管理のための専用の携帯情報端末である。
【００３３】
ＧＰＳ受信機２１は、ＧＰＳ衛星から送信された電波を図示しないＧＰＳアンテナを介して受信することにより当該管理対象端末２の現在位置を検出するように構成される。ＧＰＳ受信機２１は、当該管理対象端末２の現在位置を表す情報である位置情報を端末制御部２５へ出力する。
【００３４】
記憶部２２は、ＧＰＳ受信機２１による位置情報を記憶するように構成される。また、記憶部２２には、当該管理対象端末２を他の管理対象端末２と識別するための固有の情報である識別情報が記憶されている。
【００３５】
端末通信部２３は、Ｂｌｕｅｔｏｏｔｈ（登録商標）  Ｌｏｗ  Ｅｎｅｒｇｙ（ＢＬＥ）やＷｉＦｉ（登録商標）等の規格に従い、他の通信機器との間で近距離無線通信を行うように構成される。本実施形態では、管理対象端末２は、近距離無線通信を行うことはできるが、通信回線を使用する通信である回線通信を行うことはできない。ここでいう回線通信とは、換言すれば、基地局を介した通信である。
【００３６】
緊急ボタン２４は、管理対象端末２のユーザが緊急時に押すことが想定されるボタンである。後述するように、緊急ボタン２４が押されると、管理対象端末２のユーザが緊急状態にあることを表す情報である緊急情報が端末通信部２３から送信される。なお、緊急状態としては、管理対象端末２のユーザが迷子になっている状態や不審者に襲われる危険性がある状態などが挙げられる。
【００３７】
端末制御部２５は、ＣＰＵ、ＲＯＭ及びＲＡＭ等を構成要素とするマイクロコンピュータを備える。ＣＰＵがＲＯＭ等の非遷移的実体的記憶媒体に格納されているプログラムを実行する。このプログラムが実行されることで、プログラムに対応する方法が実行される。端末制御部２５は、後述する図２に示す端末処理を実行する。
【００３８】
携帯電話装置３は、既存のスマートフォン等の携帯電話装置に専用のアプリケーションがインストールされたものである。この携帯電話装置３は、管理対象端末２のユーザや監視端末６のユーザとは関係がないユーザ（例えば通行人等）によって所持されることが想定される。携帯電話装置３は、近距離通信部３１と、回線通信部３２と、ＧＰＳ受信機３３と、記憶部３４と、表示部３５と、装置制御部３６と、を備える。
【００３９】
近距離通信部３１は、ＢＬＥやＷｉＦｉ等の規格に従い、他の通信機器との間で近距離無線通信を行うように構成される。
回線通信部３２は、通信回線として携帯電話回線及びインターネット回線を使用する回線通信を行うように構成される。
【００４０】
ＧＰＳ受信機３３は、ＧＰＳ衛星から送信された電波を図示しないＧＰＳアンテナを介して受信することにより当該携帯電話装置３の現在位置を検出するように構成される。ＧＰＳ受信機３３は、当該携帯電話装置３の位置情報を装置制御部３６へ出力する。
【００４１】
記憶部３４は、後述するように、管理対象端末２から受信した位置情報及び識別情報を記憶するように構成される。また、記憶部３４には、当該携帯電話装置３を他の携帯電話装置３と識別するための固有の情報である識別情報が記憶されている。
【００４２】
表示部３５は、画像を表示可能なディスプレイである。
装置制御部３６は、ＣＰＵ、ＲＯＭ及びＲＡＭ等を構成要素とするマイクロコンピュータを備える。ＣＰＵがＲＯＭ等の非遷移的実体的記憶媒体に格納されているプログラムを実行する。このプログラムが実行されることで、プログラムに対応する方法が実行される。装置制御部３６は、後述する図３に示す第１の装置処理及び図４に示す第２の装置処理を実行する。
【００４３】
アクセスポイント４は、ＷｉＦｉ規格の無線ＬＡＮの接続装置であり、各種店舗、施設など様々な場所に設置されている。アクセスポイント４の近距離無線通信圏内に入ったＷｉＦｉ通信が可能な通信機器は、アクセスポイント４を介してインターネット接続が可能となる。
【００４４】
サーバ５は、サーバ通信部５１と、データベース（ＤＢ）５２と、サーバ制御部５３と、を備える。
サーバ通信部５１は、通信回線としてインターネット回線を使用する回線通信を行う。
【００４５】
ＤＢ５２は、後述するように、サーバ通信部５１を介して受信した管理対象端末２の位置情報及び識別情報を、互いに関連付けて記憶する。また、ＤＢ５２は、後述するように、サーバ通信部５１を介して受信した携帯電話装置３の位置情報及び識別情報を、互いに関連付けて記憶する。
【００４６】
サーバ制御部５３は、ＣＰＵ、ＲＯＭ及びＲＡＭ等を構成要素とするマイクロコンピュータを備える。ＣＰＵがＲＯＭ等の非遷移的実体的記憶媒体に格納されているプログラムを実行する。このプログラムが実行されることで、プログラムに対応する方法が実行される。サーバ制御部は、後述する図５に示す第１のサーバ処理及び図６に示す第２のサーバ処理を実行する。
【００４７】
監視端末６は、管理対象端末２の位置を監視するための情報機器であり、本実施形態では、パソコンである。監視端末６は、インターネット回線を介してサーバ５にアクセスし、該当する管理対象端末２の位置の照会を要求する。本実施形態では、監視端末６のユーザは、サーバ５の専用のウェブページにアクセスし、当該ウェブページ上で管理対象端末２の位置を確認する。当該ウェブページには、管理対象端末２の現在位置の推移が表された地図が表示される。
【００４８】
［２．処理］
［２−１．端末処理］
次に、管理対象端末２の端末制御部２５が実行する端末処理について、図２のフローチャートを用いて説明する。なお、端末処理は、管理対象端末２の電源がオンにされることにより開始され、管理対象端末２の電源がオフにされることにより終了される。
【００４９】
Ｓ１０１で、端末制御部２５は、ＧＰＳ受信機２１により検出した位置情報を記憶部２２に記憶する。
Ｓ１０２で、端末制御部２５は、携帯電話装置３を検出したかを判定する。ここで、端末制御部２５は、端末通信部２３が携帯電話装置３からのＢＬＥの信号（以下、ＢＬＥ信号）を受信した場合に、携帯電話装置３を検出したと判定する。一方、端末制御部２５は、端末通信部２３が携帯電話装置３からのＢＬＥ信号を受信していない場合に、携帯電話装置３を検出していないと判定する。つまり、端末制御部２５は、端末通信部２３とＢＬＥによる通信（以下、ＢＬＥ通信）が可能なＢＬＥ通信エリア内に携帯電話装置３が存在する場合に、携帯電話装置３を検出したと判定する。一方、端末制御部２５は、ＢＬＥ通信エリア内に携帯電話装置３が存在しない場合に、携帯電話装置３を検出していないと判定する。端末制御部２５は、携帯電話装置３を検出したと判定した場合に、Ｓ１０３に移行する。
【００５０】
Ｓ１０３で、端末制御部２５は、検出した携帯電話装置３へ自身の識別情報を送信する。
Ｓ１０４で、端末制御部２５は、緊急ボタン２４が押されたかを判定する。端末制御部２５は、緊急ボタン２４が押されたと判定した場合に、Ｓ１０５に移行する。
【００５１】
Ｓ１０５で、端末制御部２５は、携帯電話装置３へ緊急情報を送信する。端末制御部２５は、Ｓ１０５を実行すると、Ｓ１０６に移行する。一方、端末制御部２５は、前述したＳ１０４で、緊急ボタン２４が押されていないと判定した場合に、前述したＳ１０５を飛ばして、Ｓ１０６に移行する。
【００５２】
Ｓ１０６で、端末制御部２５は、次の位置情報を携帯電話装置３へ送信する。すなわち、本実施形態では、端末制御部２５は、記憶部２２に記憶されている自身の位置情報を、新しいものから順に携帯電話装置３へ送信する。一般にＳ１０６及び後述するＳ１０７，Ｓ１０９の処理は複数回実行され、端末制御部２５は、前回のＳ１０６で送信した位置情報よりも１つ前に記憶された位置情報を、次の位置情報として送信する。なお、１回目のＳ１０６では最新の位置情報が送信される。
【００５３】
Ｓ１０７で、端末制御部２５は、位置情報を最後まで送信したかを判定する。端末制御部２５は、位置情報を最後まで送信したと判定した場合に、Ｓ１０８に移行する。
Ｓ１０８で、端末制御部２５は、位置情報を最後まで送信したことを表す情報である送信終了情報を携帯電話装置３へ送信する。端末制御部２５は、Ｓ１０８を実行すると、後述するＳ１１０に移行する。
【００５４】
一方、端末制御部２５は、前述したＳ１０７で、位置情報を最後まで送信していないと判定した場合に、Ｓ１０９に移行する。
Ｓ１０９で、端末制御部２５は、携帯電話装置３との間でＢＬＥによる通信接続（以下、ＢＬＥ接続）が切断されたかを判定する。端末制御部２５は、携帯電話装置３との間でＢＬＥ接続が切断されていないと判定した場合に、前述したＳ１０６に戻り、Ｓ１０６以降の処理を繰り返す。つまり、端末制御部２５は、位置情報を最後まで送信しておらず、かつ、ＢＬＥ接続が切断されない限り、位置情報を携帯電話装置３へ送信し続ける。
【００５５】
一方、端末制御部２５は、携帯電話装置３との間でＢＬＥ接続が切断されたと判定した場合に、Ｓ１１０に移行する。
また、端末制御部２５は、前述したＳ１０２で携帯電話装置３を検出していないと判定した場合にも、Ｓ１１０に移行する。
【００５６】
Ｓ１１０で、端末制御部２５は、アクセスポイント４を検出したかを判定する。ここで、端末制御部２５は、端末通信部２３がアクセスポイント４からのＷｉＦｉの信号（以下、ＷｉＦｉ信号）を受信した場合に、アクセスポイント４を検出したと判定する。一方、端末制御部２５は、端末通信部２３がアクセスポイント４からのＷｉＦｉ信号を受信していない場合に、アクセスポイント４を検出していないと判定する。つまり、端末制御部２５は、端末通信部２３とＷｉＦｉによる通信（以下、ＷｉＦｉ通信）が可能なＷｉＦｉ通信エリア内にアクセスポイント４が存在する場合に、アクセスポイント４を検出したと判定する。一方、端末制御部２５は、ＷｉＦｉ通信エリア内にアクセスポイント４が存在しない場合に、アクセスポイント４を検出していないと判定する。端末制御部２５は、アクセスポイント４を検出したと判定した場合に、Ｓ１１１に移行する。
【００５７】
Ｓ１１１で、端末制御部２５は、検出したアクセスポイント４を介してサーバ５へ自身の識別情報を送信する。
Ｓ１１２で、端末制御部２５は、緊急ボタン２４が押されたかを判定する。端末制御部２５は、緊急ボタン２４が押されたと判定した場合に、Ｓ１１３に移行する。
【００５８】
Ｓ１１３で、端末制御部２５は、アクセスポイント４を介してサーバ５へ緊急情報及び最新の位置情報を送信する。端末制御部２５は、Ｓ１１３を実行すると、Ｓ１１４に移行する。一方、端末制御部２５は、前述したＳ１１２で、緊急ボタン２４が押されていないと判定した場合に、前述したＳ１１３を飛ばして、Ｓ１１４に移行する。
【００５９】
Ｓ１１４で、端末制御部２５は、次の位置情報をアクセスポイント４を介してサーバ５へ送信する。Ｓ１１４の内容は、前述したＳ１０６と同様である。
Ｓ１１５及びＳ１１６は、前述したＳ１０７及びＳ１０８とそれぞれ同様の処理であるため、説明を省略する。端末制御部２５は、Ｓ１１５で、位置情報を最後まで送信していないと判定した場合に、Ｓ１１７に移行する。
【００６０】
Ｓ１１７で、端末制御部２５は、アクセスポイント４との間でＷｉＦｉによる通信接続（以下、ＷｉＦｉ接続）が切断されたかを判定する。端末制御部２５は、アクセスポイント４との間でＷｉＦｉ接続が切断されていないと判定した場合に、前述したＳ１１４に戻り、Ｓ１１４以降の処理を繰り返す。一方、端末制御部２５は、アクセスポイント４との間でＷｉＦｉ接続が切断されたと判定した場合に、前述したＳ１０１に戻り、Ｓ１０１以降の処理を繰り返す。
【００６１】
一方、端末制御部２５は、前述したＳ１１０で、アクセスポイント４を検出していないと判定した場合に、前述したＳ１０１に戻り、Ｓ１０１以降の処理を繰り返す。
［２−２．第１の装置処理］
次に、携帯電話装置３の装置制御部３６が実行する第１の装置処理について、図３のフローチャートを用いて説明する。なお、第１の装置処理は、近距離通信部３１が管理対象端末２からのＢＬＥ信号を受信し、管理対象端末２との間でＢＬＥ接続が確立されることにより開始される。
【００６２】
Ｓ２０１で、装置制御部３６は、管理対象端末２から識別情報を受信し、受信した識別情報を記憶部３４に記憶する。
Ｓ２０２で、装置制御部３６は、近距離通信部３１が管理対象端末２から緊急情報を受信したかを判定する。装置制御部３６は、近距離通信部３１が管理対象端末２から緊急情報を受信していないと判定した場合に、Ｓ２０３に移行する。
【００６３】
Ｓ２０３で、装置制御部３６は、Ｓ２０１で受信した管理対象端末２の識別情報を回線通信部３２を介してサーバ５へ送信する。
Ｓ２０４で、装置制御部３６は、当該携帯電話装置３と現在ＢＬＥ通信を行っている管理対象端末２、つまり、通信相手である管理対象端末２が、そのユーザが緊急状態にある緊急対象端末であるかを判定する。この判定は次のように行われる。すなわち、後述するように、サーバ５には、緊急対象端末であると指定された管理対象端末２の識別情報が登録されている。そして、サーバ５において、Ｓ２０３で送信された識別情報が、登録された緊急対象端末の識別情報のいずれかと一致するかが判定される。一致すると判定された場合、サーバ５から、通信相手である管理対象端末２が緊急対象端末である旨の情報が送信される。そして、回線通信部３２が当該情報を受信した場合に、装置制御部３６は、通信相手である管理対象端末２が緊急対象端末であると判定する。
【００６４】
一方、Ｓ２０３で送信された識別情報が、登録された緊急対象端末の識別情報のいずれにも一致しないと判定された場合、サーバ５から、通信相手である管理対象端末２が緊急対象端末でない旨の情報が送信される。そして、回線通信部３２が当該情報を受信した場合に、装置制御部３６は、通信相手である管理対象端末２が緊急対象端末でないと判定する。
【００６５】
装置制御部３６は、通信相手である管理対象端末２が緊急対象端末でないと判定した場合に、後述するＳ２０８に移行する。
一方、装置制御部３６は、前述したＳ２０２で、近距離通信部３１が管理対象端末２から緊急情報を受信したと判定した場合に、Ｓ２０５に移行する。
【００６６】
Ｓ２０５で、装置制御部３６は、管理対象端末２からの緊急情報を管理対象端末２の識別情報とともにサーバ５へ送信する。装置制御部３６は、Ｓ２０５を実行するとＳ２０６に移行する。
【００６７】
また、装置制御部３６は、前述したＳ２０４で、通信相手である管理対象端末２が緊急対象端末であると判定した場合にも、Ｓ２０６に移行する。
Ｓ２０６で、装置制御部３６は、ＧＰＳ受信機３３から当該携帯電話装置３の位置情報を取得し、取得した位置情報を自身の識別情報とともに回線通信部３２を介してサーバ５へ送信する。つまり、管理対象端末２のユーザが緊急状態にある場合には、管理対象端末２と最後にＢＬＥ通信を行った携帯電話装置３の位置情報がサーバ５へ送信される。
【００６８】
Ｓ２０７で、装置制御部３６は、表示部３５にアラートを表示させる緊急状態表示を行う。
装置制御部３６は、Ｓ２０７を実行すると、Ｓ２０８に移行する。
【００６９】
Ｓ２０８で、装置制御部３６は、管理対象端末２から位置情報を受信し、受信した位置情報を記憶部３４に記憶する。
Ｓ２０９で、装置制御部３６は、管理対象端末２から最後まで位置情報を受信した、又は、ＢＬＥ接続が切断されたかを判定する。ここで、装置制御部３６は、近距離通信部３１が管理対象端末２から送信終了情報を受信した場合に、管理対象端末２から最後まで位置情報を受信したと判定する。
【００７０】
装置制御部３６は、管理対象端末２から最後まで位置情報を受信しておらず、かつ、ＢＬＥ接続が切断されていないと判定した場合に、前述したＳ２０８を再度実行する。つまり、装置制御部３６は、最後まで位置情報を受信しておらず、かつ、ＢＬＥ接続が切断されない限り、管理対象端末２の位置情報を受信して記憶部３４に記憶し続ける。
【００７１】
一方、装置制御部３６は、管理対象端末２から最後まで位置情報を受信した、又は、ＢＬＥ接続が切断されたと判定した場合に、Ｓ２１０に移行する。
Ｓ２１０で、装置制御部３６は、記憶部３４に記憶されている管理対象端末２のすべての位置情報を、回線通信部３２を介してサーバ５へ送信する。また、装置制御部３６は、ＧＰＳ受信機３３から当該携帯電話装置３の位置情報を取得し、取得した位置情報を、当該携帯電話装置３の識別情報とともに、回線通信部３２を介してサーバ５へ送信する。装置制御部３６は、Ｓ２１０を実行すると、第１の端末処理を終了する。
【００７２】
このように、本実施形態では、管理対象端末２が携帯電話装置３の近距離無線通信可能なエリア内に入りさえすれば、管理対象端末２又は携帯電話装置３において、その都度互いを認証するための認証操作を行うことなく、管理対象端末２の位置情報等が自動的に携帯電話装置３に送信され、携帯電話装置３からサーバ５へ送信される。つまり、位置情報等の送信は、管理対象端末２のユーザ及び携帯電話装置３のユーザが意識しない間に行われる。また、位置情報等は、管理対象端末２から不特定多数の携帯電話装置３へ送信される。
【００７３】
［２−３．第２の装置処理］
次に、携帯電話装置３の装置制御部３６が実行する第２の装置処理について、図４のフローチャートを用いて説明する。第２の装置処理は、回線通信部３２がサーバ５から緊急情報を受信することにより開始される。
【００７４】
具体的には、この第２の装置処理は、以下のような想定の下で実行され得る。すなわち、サーバ５は、管理対象端末２から緊急情報が送られて来た場合、つまり、管理対象端末２の緊急ボタン２４が押された場合に、管理対象端末２の周辺の複数の携帯電話装置３に緊急状態表示を行わせるため、まずは、第１のエリア内のすべての携帯電話装置３へ緊急情報を送信する。ここでいう第１のエリアは、緊急情報が携帯電話装置３からサーバ５へ送られて来た場合と、アクセスポイント４を介してサーバ５へ送られて来た場合とで、設定の仕方が異なる。具体的には、緊急情報が携帯電話装置３からサーバ５へ送られて来た場合には、緊急情報をサーバ５へ送信した携帯電話装置３、つまり、管理対象端末２と最後にＢＬＥ通信を行った携帯電話装置３の現在位置を基準とした所定のエリア（例えば半径５０ｋｍのエリア）に設定される。一方、緊急情報がアクセスポイント４を介してサーバ５へ送られて来た場合には、第１のエリアは、管理対象端末２の現在位置を基準とした所定のエリア（例えば半径５０ｋｍのエリア）に設定される。なお、本実施形態では、第１のエリアは、緊急情報をサーバ５へ送信した携帯電話装置３又は管理対象端末２の現在位置を中心としたエリアである。第２の装置処理は、サーバ５から送信されて来た上記緊急情報を携帯電話装置３が受信した場合に実行される処理である。
【００７５】
Ｓ３０１で、装置制御部３６は、サーバ５から、緊急情報を送信した携帯電話装置３の最新の位置情報、又は、管理対象端末２の最新の位置情報を受信する。ここで、緊急情報が管理対象端末２からサーバ５へ送られて来た場合には、装置制御部３６は、緊急情報を送信した携帯電話装置３の最新の位置情報を受信する。一方、緊急情報がアクセスポイント４を介してサーバ５へ送られて来た場合には、装置制御部３６は、管理対象端末２の最新の位置情報を受信する。
【００７６】
Ｓ３０２で、装置制御部３６は、ＧＰＳ受信機３３から当該携帯電話装置３の位置情報を取得する。そして、装置制御部３６は、取得した当該携帯電話装置３の位置情報と、Ｓ３０１で受信した緊急情報を送信した携帯電話装置３の最新の位置情報又は管理対象端末２の最新の位置情報と、に基づき、当該携帯電話装置３が、第２のエリア内に存在するかを判定する。ここでいう第２のエリアは、緊急情報が携帯電話装置３からサーバ５へ送られて来た場合には、緊急情報をサーバ５へ送信した携帯電話装置３を基準としたエリアであって上記第１のエリアよりも狭い所定のエリア（例えば、半径１ｋｍのエリア）に設定される。一方、緊急情報がアクセスポイント４を介してサーバ５へ送られて来た場合には、第２のエリアは、管理対象端末２の現在位置を基準とした所定のエリアであって上記第１のエリアよりも狭いエリア（例えば、半径１ｋｍのエリア）に設定される。なお、本実施形態では、第２のエリアは、緊急情報をサーバ５へ送信した携帯電話装置３又は管理対象端末２の現在位置を中心としたエリアである。また、第２のエリアは、ＢＬＥ通信可能なエリア（数ｍ〜数十ｍ）よりも広いエリアに設定されている。
【００７７】
装置制御部３６は、当該携帯電話装置３が第２のエリア内に存在すると判定した場合に、Ｓ３０３に移行する。
Ｓ３０３で、装置制御部３６は、緊急状態表示を行う。装置制御部３６は、Ｓ３０３を実行すると、第２の装置処理を終了する。
【００７８】
一方、装置制御部３６は、前述したＳ３０２で、当該携帯電話装置３が第２のエリア内に存在しないと判定した場合に、前述したＳ３０３を実行せずに、第２の装置処理を終了する。つまり、本実施形態では、第１のエリアのうちの第２のエリア内に存在する携帯電話装置３のみが緊急状態表示を行う。
【００７９】
［２−４．第１のサーバ処理］
次に、サーバ５のサーバ制御部５３が実行する第１のサーバ処理について、図５のフローチャートを用いて説明する。なお、第１のサーバ処理は、携帯電話装置３から回線通信の接続があったときに実行される。
【００８０】
Ｓ４０１で、サーバ制御部５３は、携帯電話装置３から、管理対象端末２の識別情報を受信する。
Ｓ４０２で、サーバ制御部５３は、管理対象端末２からの緊急情報をサーバ通信部５１が携帯電話装置３から受信したかを判定する。サーバ制御部５３は、管理対象端末２からの緊急情報をサーバ通信部５１が受信したと判定した場合に、Ｓ４０３に移行する。
【００８１】
Ｓ４０３で、サーバ制御部５３は、管理対象端末２から緊急情報が送られて来た旨の情報を、電子メール等により監視端末６へ送信する。
Ｓ４０４で、サーバ制御部５３は、携帯電話装置３から、当該携帯電話装置３の位置情報及び識別情報を受信する。
【００８２】
Ｓ４０５で、サーバ制御部５３は、Ｓ４０４で受信した位置情報が表す位置を基準とする上記第１のエリア内のすべての携帯電話装置３へ、緊急情報を送信する。また、サーバ制御部５３は、管理対象端末２から緊急情報が送られて来た旨を電子メール等で監視端末６に通知する。サーバ制御部５３は、Ｓ４０５を実行すると、Ｓ４０６に移行する。
【００８３】
一方、サーバ制御部５３は、前述したＳ４０２で、管理対象端末２からの緊急情報をサーバ通信部５１が受信していないと判定した場合に、前述したＳ４０３〜Ｓ４０５を飛ばして、Ｓ４０６に移行する。
【００８４】
Ｓ４０６で、サーバ制御部５３は、Ｓ４０１で受信した識別情報の管理対象端末２が緊急対象端末であるかを判定する。ここで、ＤＢ５２には、緊急対象端末であると指定された管理対象端末２の識別情報が登録されている。具体的には、監視端末６のユーザから、緊急情報が送信される。そして、サーバ通信部５１が当該緊急情報を受信すると、該当する管理対象端末２が緊急対象端末であるとしてその識別情報がＤＢ５２に記憶される。
【００８５】
なお、緊急情報が監視端末６から送信される場合としては、管理対象端末２からの位置情報の送信が途切れ、監視端末６上で管理対象端末２の最新の位置が監視不能になった場合、つまり、管理対象端末２が行方不明になった場合等が挙げられる。
【００８６】
サーバ制御部５３は、Ｓ４０１で受信した識別情報の管理対象端末２が緊急対象端末であると判定した場合に、Ｓ４０７に移行する。
Ｓ４０７で、サーバ制御部５３は、管理対象端末２が緊急状態対象端末である旨の情報を、現在回線通信を行っている携帯電話装置３へ送信する。
【００８７】
Ｓ４０８で、サーバ制御部５３は、携帯電話装置３から、識別情報などの管理対象端末２に関する情報が送られて来た旨の情報を、電子メール等により監視端末６へ送信する。サーバ制御部５３は、Ｓ４０８を実行すると、Ｓ４１０に移行する。
【００８８】
一方、サーバ制御部５３は、前述したＳ４０６で、Ｓ４０１で受信した識別情報の管理対象端末２が緊急対象端末でないと判定した場合に、Ｓ４０９に移行する。
Ｓ４０９で、サーバ制御部５３は、管理対象端末２が緊急状態対象端末でない旨の情報を、現在回線通信を行っている携帯電話装置３へ送信する。サーバ制御部５３は、Ｓ４０９を実行すると、Ｓ４１０に移行する。
【００８９】
Ｓ４１０で、サーバ制御部５３は、携帯電話装置３から管理対象端末２のすべての位置情報、及び、識別情報を受信し、互いに関連付けてＤＢ５２に記憶する。また、サーバ制御部５３は、携帯電話装置３から当該携帯電話装置３の位置情報及び識別情報を受信し、互いに関連付けてＤＢ５２に記憶する。サーバ制御部５３は、Ｓ４１０を実行すると、第１のサーバ処理を終了する。
【００９０】
［２−５．第２のサーバ処理］
次に、サーバ５のサーバ制御部５３が実行する第２のサーバ処理について、図６のフローチャートを用いて説明する。なお、第２のサーバ処理は、管理対象端末２からアクセスポイント４を介した回線通信の接続があったときに実行される。
【００９１】
Ｓ５０１で、サーバ制御部５３は、アクセスポイント４を介して管理対象端末２の識別情報を受信する。
Ｓ５０２で、サーバ制御部５３は、管理対象端末２からの緊急情報をサーバ通信部５１が受信したかを判定する。サーバ制御部５３は、管理対象端末２からの緊急情報をサーバ通信部５１が受信したと判定した場合に、Ｓ５０３に移行する。なお、サーバ通信部５１は、緊急情報を受信する場合には、管理対象端末２の最新の位置情報も併せて受信する。
【００９２】
Ｓ５０３で、サーバ制御部５３は、受信した最新の位置情報が表す管理対象端末２の現在位置を基準とする上記第１のエリア内のすべての携帯電話装置３へ、緊急情報を送信する。また、サーバ制御部５３は、管理対象端末２から緊急情報が送られて来た旨の情報を電子メール等により監視端末６へ送信する。サーバ制御部５３は、Ｓ５０３を実行すると、Ｓ５０４に移行する。
【００９３】
一方、サーバ制御部５３は、前述したＳ５０２で、管理対象端末２からの緊急情報をサーバ通信部５１が受信していないと判定した場合に、前述したＳ５０３を飛ばして、Ｓ５０４に移行する。
【００９４】
Ｓ５０４で、サーバ制御部５３は、管理対象端末２からアクセスポイント４を介して位置情報を受信し、受信した位置情報を識別情報とともにＤＢ５２に記憶する。
Ｓ５０５で、サーバ制御部５３は、管理対象端末２から最後まで位置情報を受信した、又は、ＷｉＦｉ接続が切断されたかを判定する。ここで、装置制御部３６は、サーバ通信部５１が管理対象端末２から送信終了情報を受信した場合に、管理対象端末２から最後まで位置情報を受信したと判定する。
【００９５】
サーバ制御部５３は、管理対象端末２から最後まで位置情報を受信しておらず、かつ、ＷｉＦｉ接続が切断されていないと判定した場合に、前述したＳ５０４を再度実行する。
一方、装置制御部３６は、管理対象端末２から最後まで位置情報を受信した、又は、ＷｉＦｉ接続が切断されたと判定した場合に、第２のサーバ処理を終了する。
【００９６】
［３．位置管理システム全体の処理の流れ］
次に、前述した端末処理、第１及び第２の装置処理並びに第１のサーバ処理が実行された結果、実現される、位置管理システム１全体の処理の流れを図７〜図９を用いて説明する。特に、以下では、携帯電話装置３を経由して位置情報等がサーバ５へ送信される場合について説明する。
【００９７】
［３−１．通常状態における処理の流れ］
まず、管理対象端末２及び監視端末６のいずれからも緊急情報が送信されていない状態である通常状態における位置管理システム１全体の処理の流れを図７を用いて説明する。
【００９８】
Ｓ６０１で、管理対象端末２は、携帯電話装置３からＢＬＥ信号を受信し、当該携帯電話装置３との間でＢＬＥ接続を確立する。また、管理対象端末２は、自身の識別情報を携帯電話装置３へ送信する。
【００９９】
Ｓ６０２で、携帯電話装置３は、受信した管理対象端末２の識別情報をサーバ５へ送信する。
Ｓ６０３で、サーバ５は、受信した識別情報に基づき、管理対象端末２が緊急対象端末であるかを確認する。この例では、通常状態であることが想定されているため、サーバ５は、管理対象端末２が緊急対象端末でないと判定する。
【０１００】
Ｓ６０４で、サーバ５は、携帯電話装置３へ、管理対象端末２が緊急対象端末でない旨の情報を送信する。
Ｓ６０５で、管理対象端末２は、位置情報を最新のものから順に携帯電話装置３へ送信する。なお、位置情報の送信は、位置情報が最後まで送信されるか、又は、ＢＬＥ接続が切断されるまで継続して実行される。この例では、ＢＬＥ接続が切断されることにより、位置情報の送信が終了される。
【０１０１】
Ｓ６０６で、管理対象端末２は、携帯電話装置３とのＢＬＥ接続が切断されると、次のＢＬＥ通信可能な携帯電話装置３を探索する。
Ｓ６０７で、携帯電話装置３は、ＢＬＥ通信が切断されると、管理対象端末２から受信し、記憶したすべての位置情報を識別情報とともに、サーバ５へ送信する。また、携帯電話装置３は、自身の位置情報及び識別情報をサーバ５へ送信する。
【０１０２】
Ｓ６０８で、サーバ５は、携帯電話装置３から受信した情報をＤＢ５２に記憶する。
［３−２．第１緊急状態］
次に、監視端末６からサーバ５へ緊急情報が送信された状態である第１緊急状態における位置管理システム１全体の処理の流れを図８を用いて説明する。
【０１０３】
Ｓ７０１〜Ｓ７０３は、前述したＳ６０１〜Ｓ６０３とそれぞれ同様であるため、説明を省略する。この例では、第１緊急状態が想定されているため、Ｓ７０３の確認の結果、管理対象端末２が緊急対象端末であると判定される。
【０１０４】
Ｓ７０４で、サーバ５は、携帯電話装置３へ、管理対象端末２が緊急対象端末である旨の情報を送信する。
Ｓ７０５で、サーバ５は、携帯電話装置３から情報が送られて来た旨の情報を電子メール等により監視端末６に通知する。
【０１０５】
Ｓ７０６で、携帯電話装置３は、自身の位置情報を識別情報とともにサーバ５へ送信する。
Ｓ７０７で、携帯電話装置３は、緊急状態表示を行う。
【０１０６】
Ｓ７０８〜Ｓ７１１は、前述したＳ６０５〜Ｓ６０８とそれぞれ同様であるため、説明を省略する。
［３−３．第２緊急状態］
次に、管理対象端末２からサーバ５へ緊急情報が送信された状態、つまり、緊急ボタン２４が押された状態である第２緊急状態における位置管理システム１全体の処理の流れを図９を用いて説明する。
【０１０７】
Ｓ８０１で、管理対象端末２は、前述したＳ７０１と同様の処理を実行することに加え、緊急情報を携帯電話装置３へ送信する。
Ｓ８０２で、携帯電話装置３は、管理対象端末２からの緊急情報を、管理対象端末２の識別情報とともに、サーバ５へ送信する。
【０１０８】
Ｓ８０３は、前述したＳ７０３と同様であるため、説明を省略する。この例では、監視端末６からサーバ５への緊急情報の送信がないため、Ｓ８０３の確認の結果、管理対象端末２が緊急対象端末でないと判定される。
【０１０９】
Ｓ８０４で、サーバ５は、携帯電話装置３へ、管理対象端末２が緊急対象端末でない旨の情報を送信する。
Ｓ８０５で、サーバ５は、管理対象端末２から緊急情報が送られて来た旨を電子メール等で監視端末６に通知する。
【０１１０】
Ｓ８０６及びＳ８０７は、前述したＳ７０６及びＳ７０７とそれぞれ同様であるため、説明を省略する。
Ｓ８０８で、サーバ５は、上記第１のエリア内のすべての携帯電話装置３へ緊急情報を送信する。
【０１１１】
Ｓ８０９〜Ｓ８１２は、前述したＳ７０８〜Ｓ７１１とそれぞれ同様であるため、説明を省略する。
［４．効果］
以上詳述した実施形態によれば、以下の効果が得られる。
【０１１２】
（１）本実施形態では、管理対象端末２から携帯電話装置３へは、近距離無線通信により管理対象端末２の位置情報が送信され、携帯電話装置３からサーバ５へは、回線通信により管理対象端末２の位置情報が送信される。このように、管理対象端末２から携帯電話装置３へは、近距離無線通信により管理対象端末２の位置情報が送信されるため、管理対象端末２が通信回線を使用可能でない場合であっても、管理対象端末２の位置をサーバにより管理することができる。その結果、管理対象端末２のユーザや、監視端末６のユーザが、通信事業者やプロバイダと契約して通信料金を支払い、管理対象端末が通信回線を使用可能にする必要がない。このため、位置管理システム１のユーザの費用を軽減することができる。
【０１１３】
（２）本実施形態では、管理対象端末２は、無線ＬＡＮのアクセスポイント４を介して、自身の位置情報及び識別情報をサーバ５へ送信する。したがって、携帯電話装置３が検出されない場合であっても、アクセスポイント４が検出されたときには、位置情報をサーバ５へ送信することができる。したがって、位置情報が携帯電話装置３を経由してしかサーバ５へ送信されない構成と比較して、管理対象端末２がサーバ５へ位置情報を送信することができる機会をより多く確保することができる。
【０１１４】
（３）本実施形態では、管理対象端末２は、緊急ボタン２４が押されたと判定した場合に、携帯電話装置３へ緊急情報を送信し、当該携帯電話装置３に、緊急情報をサーバ５へ送信させる。したがって、管理対象端末２が通信回線を使用可能でない場合であっても、緊急情報をサーバ５へ送信することができる。
【０１１５】
（４）本実施形態では、携帯電話装置３は、管理対象端末２から緊急情報を受信した場合に、緊急状態表示を行う。したがって、管理対象端末２のユーザが緊急状態にあることを、携帯電話装置３のユーザに認識させることができる。よって、管理対象端末２から緊急情報が送信された場合に携帯電話装置３に報知を行わせない構成と比較して、管理対象端末２のユーザに対する保護効果を向上させることができる。
【０１１６】
（５）本実施形態では、携帯電話装置３は、監視端末６からの緊急情報がサーバ５から送信され、当該緊急情報を受信した場合に、緊急状態表示を行う。したがって、サーバ５から緊急情報が送信された場合に、管理対象端末２のユーザが緊急状態にあることを、携帯電話装置３のユーザに認識させることができる。したがって、サーバ５から緊急情報が送信された場合に携帯電話装置３に報知を行わせない構成と比較して、管理対象端末２のユーザに対する保護効果を向上させることができる。
【０１１７】
（６）本実施形態では、サーバ５は、管理対象端末２からの緊急情報を受信した場合に、所定の選定条件に基づき選定した携帯電話装置３へ、緊急状態表示を行わせるための情報（緊急情報）を送信する。具体的には、緊急情報をサーバ５へ送信した携帯電話装置３の現在位置を基準とした第１のエリア内の携帯電話装置３へ、緊急情報を送信する。したがって、第１のエリア内の携帯電話装置３のユーザに、管理対象端末２のユーザが緊急状態にあることを認識させることができる。これにより、携帯電話装置３が報知を行わない構成と比較して、管理対象端末２のユーザに対する保護効果を向上させることができる。
【０１１８】
（７）本実施形態では、携帯電話装置３は、既存のスマートフォン等の携帯電話装置に専用のアプリケーションソフトウェアをインストールものである。このように、本実施形態では、スマートフォンなどの普及した装置を用いて、管理対象端末２の位置情報及び識別情報がサーバ５に送信される。したがって、携帯電話装置３に代えて専用の装置を用いて位置情報等をサーバ５へ送信する構成と比較して、位置情報等をサーバ５へ送信可能な装置を管理対象端末２が検出する可能性が高い。よって、位置情報等をサーバ５へ送信する機会をより多く確保することができる。
【０１１９】
（８）本実施形態では、携帯電話装置３は、管理対象端末２の位置情報を蓄積し、最後まで位置情報を受信した、又は、ＢＬＥ接続が切断されたと判定された場合に、蓄積した位置情報をサーバ５へ送信する。このため、携帯電話装置３からサーバ５へ送信される管理対象端末２の位置情報の量を増やすことができる。すなわち、管理対象端末２が、通行人が所持する携帯電話装置３とすれ違いざまに近距離無線通信を行う場合、当該通信が行われる期間は数秒程度であることが想定される。この間、位置情報のサーバ５への送信など、位置情報の受信以外の処理を携帯電話装置３が実行すると、受信する位置情報の量が減少し得る。これに対して、本実施形態では、携帯電話装置３は、管理対象端末２から位置情報を受信しても、最後まで位置情報を受信した、又は、ＢＬＥ接続が切断されたと判定するまで、位置情報の送信を行わず、位置情報の受信に専念する。したがって、携帯電話装置が位置情報を蓄積せずに即時サーバ５へ送信する構成と比較して、管理対象端末２から受信する位置情報の量を増やすことができる。ひいては、携帯電話装置３からサーバ５へ送信される管理対象端末２の位置情報の量を増やすことができる。
【０１２０】
その一方で、携帯電話装置３は、管理対象端末２から緊急情報を受信した場合には、当該緊急情報をサーバ５へすぐに送信する。したがって、緊急時においては、監視端末６のユーザ等に、管理対象端末２のユーザが緊急状態である旨をすぐに通知することができる。
【０１２１】
なお、本実施形態では、ＧＰＳ受信機２１が位置検出部の一例に相当し、緊急ボタン２４が操作部の一例に相当し、Ｓ１０２が第１の装置検出部及び装置検出部としての処理に相当し、Ｓ１０３及びＳ１０６が第１の端末送信処理部及び端末送信処理部としての処理に相当する。また、Ｓ１０４が操作判定部としての処理に相当し、Ｓ１１０が第２の装置検出部としての処理に相当し、Ｓ１１１及びＳ１１４が第２の端末送信処理部としての処理に相当し、Ｓ２０１及びＳ２０８が近距離受信処理部としての処理に相当する。また、Ｓ２１０が回線送信処理部としての処理に相当し、Ｓ２０２及びＳ２０４が緊急受信処理部としての処理に相当し、Ｓ２０７が報知処理部としての処理に相当し、Ｓ４０１及びＳ４１０が第１のサーバ受信処理部としての処理に相当し、Ｓ４０１及びＳ４１０がサーバ受信処理部としての処理に相当する。また、Ｓ４０２及びＳ４０６が緊急判定部としての処理に相当し、Ｓ４０４が第２のサーバ受信処理部としての処理に相当し、Ｓ４０５がサーバ送信処理部としての処理に相当する。
【０１２２】
［５．他の実施形態］
以上、本開示を実施するための形態について説明したが、本開示は上述の実施形態に限定されることなく、種々変形して実施することができる。
【０１２３】
（１）上記実施形態では、操作部として緊急ボタン２４を例示したが、操作部はこれに限られるものではない。例えば、管理対象端末が、画像を表示可能な表示部を有する場合において、操作部は、当該表示部に表示されるソフトウェアスイッチなどであってもよい。
【０１２４】
（２）携帯電話装置３は、緊急情報を受信した場合に、表示部３５にアラートを表示させることにより報知を行うが、報知の態様はこれに限られるものではない。携帯電話装置は、例えば、音を発したり、振動したりして報知を行ってもよい。
【０１２５】
（３）上記実施形態では、管理対象端末２及び携帯電話装置３は、ＧＰＳ衛星を利用して自身の現在位置を検出しているが、現在位置の検出の仕方はこれに限られるものではない。例えば携帯電話装置などの基地局による位置検出機能を利用して現在位置が検出されてもよい。
【０１２６】
（４）上記実施形態では、管理対象端末２は、位置管理システム１による位置管理のための専用の携帯情報端末であるが、管理対象端末はこれに限られるものではない。管理対象端末は、例えば、既存のスマートフォンなどの携帯電話装置や、既存のタブレット端末などの携帯電話装置以外の携帯情報端末などに、専用のアプリケーションソフトウェアがインストールされたものであってもよい。
【０１２７】
（５）上記実施形態では、監視端末６はパソコンであるが、監視端末はこれに限られるものではない。監視端末は、例えば、スマートフォンなどの他の情報機器であってもよい。
【０１２８】
（６）第１のエリア及び第２のエリアの基準は、上記実施形態のものに限られるものではない。例えば、緊急情報が携帯電話装置３からサーバ５へ送られて来た場合においても、第１のエリア及び第２のエリアの基準は、緊急情報をサーバ５へ送信した携帯電話装置３ではなく、ユーザが緊急状態にある管理対象端末２であってもよい。換言すれば、サーバ５が緊急情報を送信する際の送信先の携帯電話装置３を選定する選定条件は、ユーザが緊急状態にある管理対象端末２の位置情報と携帯電話装置３の位置情報とに基づき、ユーザが緊急状態にある管理対象端末２を基準とする所定エリア内の携帯電話装置３を選定する条件であってもよい。このような構成によれば、ユーザが緊急状態にある管理対象端末２を基準とする所定エリア内の携帯電話装置３のユーザに、管理対象端末２のユーザが緊急状態にあることを認識させることができる。
【０１２９】
また例えば、緊急情報がアクセスポイント４を介してサーバ５へ送られて来た場合において、第１のエリア及び第２のエリアの基準は、緊急情報の送信に用いられたアクセスポイント４であってもよい。
【０１３０】
また例えば、上記選定条件は、ユーザが緊急状態にある管理対象端末２の位置情報及び識別情報をサーバ５へ送信したことがある携帯電話装置を選定する条件であってもよい。このような構成によれば、管理対象端末２と近距離無線通信が可能な範囲に存在する又は存在していた携帯電話装置３のユーザに、管理対象端末２のユーザが緊急状態にあることを認識させることができる。特に、送信先の携帯電話装置３が現在どこに位置にしているか等をサーバ５などで演算する必要がないため、管理対象端末２等を基準とする所定エリア内の携帯電話装置３を選定する構成と比較して、サーバ５などの処理負荷を低減させることができる。
【０１３１】
（７）上記実施形態では、携帯電話装置３が第２のエリア内に存在するかの判定は当該携帯電話装置３により行われる。しかし、当該判定を行う判定主体はこれに限られるものではない。例えば、サーバ５で、携帯電話装置３が第２のエリア内に存在するかの判定が行われてもよい。つまり、第２のエリア内の携帯電話装置３に緊急状態表示を行わせるに当たり、サーバ５は、第２のエリア内の携帯電話装置のみに緊急情報を送信してもよい。
【０１３２】
（８）例えば、管理対象端末２の緊急ボタン２４が押され、管理対象端末２からサーバ５へ緊急情報が送られて来た場合などにおいて、サーバ５は、緊急情報を送信した管理対象端末２のユーザの氏名などの管理対象端末２のユーザに関する情報を携帯電話装置３へ送信してもよい。この場合において、携帯電話装置３は、例えば、受信した管理対象端末２のユーザに関する情報を表示部３５に表示してもよい。このような構成によれば、携帯電話装置３のユーザが、管理対象端末２のユーザを発見しやすくすることができるとともに、管理対象端末２のユーザに声を掛けやすくすることができ、ひいては、管理対象端末２のユーザの保護効果を向上させることができる。
【０１３３】
（９）例えば、監視端末６からサーバ５へ緊急情報が送信され、サーバ５から携帯電話装置３へ緊急情報が送信された場合などにおいて、携帯電話装置３は、緊急対象端末である管理対象端末２へ、当該管理対象端末２が緊急対象端末に指定されている旨の情報を送信してもよい。このような構成によれば、管理対象端末２のユーザに、自身の管理対象端末２が緊急対象端末に指定されていることを認識させることができる。
【０１３４】
（１０）上記実施形態では、携帯電話装置３は、管理対象端末２の位置情報を蓄積してサーバ５へ送信するが、携帯電話装置３のサーバ５への情報の送信の仕方はこれに限られるものではない。携帯電話装置３は、例えば、管理対象端末２の位置情報を、受信したらすぐにサーバ５へ送信してもよい。
【０１３５】
（１１）上記実施形態で、管理対象端末２、携帯電話装置３及びサーバ５が実行する機能の一部又は全部を、１つあるいは複数のＩＣ等によりハードウェア的に構成してもよい。
【０１３６】
（１２）前述した管理対象端末２、携帯電話装置３及びサーバ５の他、当該管理対象端末２、携帯電話装置３及びサーバ５を構成要素とする位置管理システム１、当該管理対象端末２、携帯電話装置３及びサーバ５のうちいずれか１つとしてコンピュータを機能させるためのプログラム、このプログラムを記憶した半導体メモリ等の非遷移的実体的記憶媒体、携帯電話装置３やアクセスポイント４を経由して管理対象端末２の位置情報等をサーバ５へ送信することにより管理対象端末２の位置管理を可能にする方法など、種々の形態で本開示を実現することもできる。
【０１３７】
（１３）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【０１３８】
１…位置管理システム、２…管理対象端末、３…携帯電話装置、４…アクセスポイント、５…サーバ、６…監視端末、２１…管理対象端末のＧＰＳ受信機、２３…端末通信部、３１…近距離通信部、３２…回線通信部、３３…携帯電話装置のＧＰＳ受信機、５１…サーバ通信部。
【図１】
2018063477.tif 000003
【図２】
2018063477.tif 000004
【図３】
2018063477.tif 000005
【図４】
2018063477.tif 000006
【図５】
2018063477.tif 000007
【図６】
2018063477.tif 000008
【図７】
2018063477.tif 000009
【図８】
2018063477.tif 000010
【図９】
2018063477.tif 000011
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
近距離無線通信が可能な管理対象の携帯情報端末である管理対象端末の位置を管理するサーバであって、
通信回線を使用する通信である回線通信を行うサーバ通信部と、
前記近距離無線通信を前記管理対象端末との間で行うことが可能であって、前記回線通信を前記サーバ通信部との間で行うことが可能な携帯電話装置から、前記管理対象端末の現在位置を表す情報である位置情報、及び、前記管理対象端末を識別するための情報である識別情報、を受信する第１のサーバ受信処理部と、
前記管理対象端末のユーザが緊急状態にあるかを判定する緊急判定部と、
前記緊急判定部により前記ユーザが緊急状態にあると判定された場合、所定の選定条件に基づき選定した前記携帯電話装置へ、当該携帯電話装置に報知を行わせるための情報を送信するサーバ送信処理部と、
を備え、
前記選定条件は、前記ユーザが緊急状態にある前記管理対象端末の前記位置情報及び前記識別情報を前記サーバ通信部へ送信したことがある前記携帯電話装置を選定する条件である、サーバ。
【請求項２】
請求項１に記載のサーバであって、
前記選定条件は、前記ユーザが緊急状態にある前記管理対象端末を基準とする所定エリア内の前記携帯電話装置を選定する条件である、サーバ。
【請求項３】
請求項１又は請求項２に記載のサーバであって、
前記選定条件は、前記管理対象端末のユーザが緊急状態にあることを表す情報である緊急情報を前記サーバへ送信した前記携帯電話装置を基準とする所定エリア内の前記携帯電話装置を選定する条件である、サーバ。
【請求項４】
請求項１から請求項３までのいずれか１項に記載のサーバであって、
前記近距離無線通信を前記管理対象端末との間で行うことが可能な無線ＬＡＮのアクセスポイントから、前記位置情報及び前記識別情報を受信する第２のサーバ受信処理部を更に備えるサーバ。
【請求項５】
請求項１から請求項４までのいずれか１項に記載のサーバであって、
前記管理対象端末は、当該管理対象端末の所定の操作部が前記ユーザが緊急時に行う所定の入力操作を受け付けた場合、前記携帯電話装置を介して、前記ユーザが緊急状態にあることを表す情報である緊急情報を前記サーバへ送信し、
前記第１のサーバ受信処理部は、前記携帯電話装置から前記緊急情報を受信し、
前記緊急判定部は、前記第１のサーバ受信処理部により前記緊急情報が受信された場合、前記ユーザが緊急状態にあると判定する、サーバ。
【請求項６】
管理対象の携帯情報端末である管理対象端末と、携帯電話装置と、前記管理対象端末の位置を管理するサーバと、を備える位置管理システムであって、
前記管理対象端末は、
当該管理対象端末の現在位置を検出する位置検出部と、
近距離無線通信を行う端末通信部と、
前記携帯電話装置を検出する装置検出部と、
前記装置検出部により検出された前記携帯電話装置へ、前記現在位置を表す情報である位置情報、及び、当該管理対象端末を識別するための情報である識別情報、を前記端末通信部を介して送信する端末送信処理部と、
を備え、
前記携帯電話装置は、
前記近距離無線通信を行う近距離通信部と、
通信回線を使用する通信である回線通信を行う回線通信部と、
前記管理対象端末から前記位置情報及び前記識別情報を、前記近距離通信部を介して受信する近距離受信処理部と、
前記近距離受信処理部により受信された前記位置情報及び前記識別情報を、前記回線通信部を介して前記サーバへ送信する回線送信処理部と、
を備え、
前記サーバは、
前記回線通信を行うサーバ通信部と、
前記携帯電話装置から前記位置情報及び前記識別情報を前記サーバ通信部を介して受信するサーバ受信処理部と、
前記管理対象端末のユーザが緊急状態にあるかを判定する緊急判定部と、
前記緊急判定部により前記ユーザが緊急状態にあると判定された場合、所定の選定条件に基づき選定した前記携帯電話装置へ、当該携帯電話装置に報知を行わせるための情報を送信するサーバ送信処理部と、
を備え、
前記選定条件は、前記ユーザが緊急状態にある前記管理対象端末の前記位置情報及び前記識別情報を前記サーバ通信部へ送信したことがある前記携帯電話装置を選定する条件である、位置管理システム。
【手続補正２】
【補正対象書類名】明細書
【補正対象項目名】０１２１
【補正方法】変更
【補正の内容】
【０１２１】
なお、本実施形態では、ＧＰＳ受信機２１が位置検出部の一例に相当し、緊急ボタン２４が操作部の一例に相当し、Ｓ１０２が第１の装置検出部及び装置検出部としての処理に相当し、Ｓ１０３及びＳ１０６が第１の端末送信処理部及び端末送信処理部としての処理に相当する。また、Ｓ１０４が操作判定部としての処理に相当し、Ｓ１１０が第２の装置検出部としての処理に相当し、Ｓ１１１及びＳ１１４が第２の端末送信処理部としての処理に相当し、Ｓ２０１及びＳ２０８が近距離受信処理部としての処理に相当する。また、Ｓ２１０が回線送信処理部としての処理に相当し、Ｓ２０２及びＳ２０４が緊急受信処理部としての処理に相当し、Ｓ２０７が報知処理部としての処理に相当し、Ｓ４０１及びＳ４１０が第１のサーバ受信処理部としての処理に相当し、Ｓ４０１及びＳ４１０がサーバ受信処理部としての処理に相当する。また、Ｓ４０２及びＳ４０６が緊急判定部としての処理に相当し、Ｓ４０５がサーバ送信処理部としての処理に相当する。